(57)【要約】【課題】足浴器に湯を入れる作業及び靴下などを脱ぐ作業をせずに足浴器を使用できるようにすることにある。【解決手段】容器本体２と、送風装置４とを備えている。容器本体２は、内部に複数の熱を蓄積可能なセラミックボール３を収納可能であり、足を挿入可能な挿入口２１１を有する。送風装置４は、容器本体２に取り付けられ、容器本体２内のセラミックボール３の温度を上昇させるために温風を送り込む。【選択図】図１
0003135324.tif 000002
【実用新案登録請求の範囲】
【請求項１】
内部に複数の熱を蓄積可能な蓄熱部材を収納可能であり、足を挿入可能な挿入口を有する容器本体と、
前記容器本体に取り付けられ、前記容器本体内の前記蓄熱部材の温度を上昇させるために温風を送り込む送風装置と、
を備えた足浴器。
【請求項２】
前記容器本体は内部と外部との熱伝達を遮断するための断熱部材によって形成された断熱層を有している、請求項１に記載の足浴器。
【請求項３】
前記容器本体は内部の前記蓄熱部材を温めるための発熱層をさらに有している、請求項１又は２に記載の足浴器。
【請求項４】
前記容器本体は前記発熱層を保護する保護シートが前記発熱層の内側に配置されている、請求項３に記載の足浴器。
【請求項５】
前記発熱層は、前記容器本体の底部の上側に配置された第１発熱部と、前記容器本体の側部の内側に配置された第２発熱部とを有しており、
前記第１発熱部と前記第２発熱部との温度を個別に調整する温度調整装置をさらに備えている、
請求項３又は４に記載の足浴器。
【請求項６】
前記蓄熱部材はセラミックによって形成された球形状の部材である、請求項１から５のいずれかに記載の足浴器。
【考案の詳細な説明】
【技術分野】
【０００１】
本考案は、足浴器に関する。
【背景技術】
【０００２】
足浴器は、足を温めることで足の血行を良くし、これによって体全体を暖めるための装置であって、足を挿入可能であり内部に湯が収納可能な足浴槽と、足浴槽の内部の湯を循環させるための循環装置と、を備えている。この足浴器では、足浴槽内に湯を入れ、足浴槽内の湯を循環装置によって循環させる。そして、この足浴槽の内部に足を挿入する。ここでは、湯の熱が足に伝達され、足の血行が良くなる。
【考案の開示】
【考案が解決しようとする課題】
【０００３】
このような足浴器では、湯によって足を温めるために、足浴槽内に湯を入れる作業が必要であり、また使用の際に靴下などを脱ぐ必要がある。
【０００４】
本考案の課題は、足浴器に湯を入れる作業及び靴下などを脱ぐ作業をせずに足浴器を使用できるようにすることにある。
【課題を解決するための手段】
【０００５】
請求項１に係る足浴器は、容器本体と、送風装置とを備えている。容器本体は、内部に複数の熱を蓄積可能な蓄熱部材を収納可能であり、足を挿入可能な挿入口を有する。送風装置は、容器本体に取り付けられ、容器本体内の蓄熱部材の温度を上昇させるために温風を送り込む。
【０００６】
この足浴器では、容器本体内に蓄熱部材を収納し、送風装置によって温風を送り込む。送風装置によって送り込まれた温風によって蓄熱部材に熱が蓄積される。そして、足を容器本体内に挿入し、蓄熱部材に蓄積された熱によって足を温める。
【０００７】
ここでは、足を温めることで足の血行を良くし、これによって体全体を暖めることができる。また、蓄熱部材を用いて足を暖めるために、足浴器に湯を入れる作業及び靴下などを脱ぐ作業をせずに使用することができる。
【０００８】
請求項２に係る足浴器は、請求項１に記載の足浴器であって、容器本体は内部と外部との熱伝達を遮断するための断熱部材によって形成された断熱層を有している。
【０００９】
ここでは、断熱層によって内部と外部との熱の伝達が遮断されるために、内部の蓄熱部材に蓄積された熱が逃げにくくなる。すなわち、長時間蓄熱部材の温度を一定に保持できる。
【００１０】
請求項３に係る足浴器は、請求項１または２に記載の足浴器であって、容器本体は内部の蓄熱部材を温めるための発熱層をさらに有している。
【００１１】
ここでは、蓄熱部材をさらに効率よく暖めることができる。このために、送風装置から送り込まれる温風のみによって蓄熱部材を温める場合よりも短時間で蓄熱部材を温めることができる。また、蓄熱部材の温度が低下しにくくすることができる。
【００１２】
請求項４に係る足浴器は、請求項３に記載の足浴器であって、容器本体は発熱層を保護する保護シートが発熱層の内側に配置されている。
【００１３】
ここでは、足又は蓄熱部材による傷及び水分から発熱層を保護することができる。このために、発熱層の製品寿命を延ばすことができる。
【００１４】
請求項５に係る足浴器は、請求項３又は４に記載の足浴器であって、発熱層は、容器本体の底部の上側に配置された第１発熱部と、容器本体の側部の内側に配置された第２発熱部とを有している。第１発熱部と第２発熱部との温度を個別に調整する温度調整装置をさらに備えている。
【００１５】
ここでは、第１発熱部と第２発熱部の温度をそれぞれ別個に調整できるために、ユーザーにとって最適な温度に調整しやすい。また送風装置とともに蓄熱部材を温めるために送風装置のみよって温める場合に比べて温めに必要な時間を短縮することができる。
【００１６】
請求項６に係る足浴器は、請求項１から５のいずれかに記載の足浴器であって、蓄熱部材はセラミックによって形成された球形状の部材である。
【００１７】
ここでは、複数の蓄熱部材の間に適度なスペースが形成される。このために、蓄熱部材を容器本体内に敷き詰めて使用する場合に、蓄熱部材の間に足を挿入しやすい。また、蓄熱部材によって足つぼを刺激することでさらに足の血行が良くなり、足を温める効率が良くなる。さらに所定温度まで温めることで赤外線を放出するために、さらに効率よく足を温めることができる。
【考案の効果】
【００１８】
本考案では、足浴器に湯を入れる作業及び靴下などを脱ぐ作業をせずに足浴器を使用できるようにすることができる。
【考案を実施するための最良の形態】
【００１９】
１．構成
図１に本考案の一実施形態に係る足浴器１の全体を示す。この図１に基づいて足浴器１を説明する。この図では、本考案の構成を強調するために適宜縮尺を変えて記載している。
【００２０】
足浴器１は、足を温めることで足の血行を良くし、体全体を温めるための装置であって、容器本体２と、複数のセラミックボール３と、送風装置４と、温度調整装置５（図２参照）とを備えている。
【００２１】
容器本体２は、内部に複数のセラミックボール３を収納可能であり、外容器２１と、断熱層２２と、発熱層２３と、保護シート２４とを有している。
【００２２】
外容器２１は、容器本体２の最も外側に配置されている容器であって、上側にユーザーの両足を挿入可能な挿入口２１１が形成されている。また外容器２１は、樹木、樹脂、石、金属などによって形成されており、四角形状の容器底部２１２と、容器底部２１２の周囲から略鉛直上側に延びるように設けられた容器側部２１３とを備えている。
【００２３】
断熱層２２は、容器本体２の内部と外部との間の熱の伝達を遮断するための部材であって、外容器２１の内側を覆うように形成されている。具体的には、容器底部２１２の上側を覆うように形成された断熱底部２２１と、容器側部２１３の内側を覆うように形成された断熱側部２２２とを有している。また断熱層２２は、グラスウールや、ロックウールなどによって形成されている。
【００２４】
発熱層２３は、容器本体２内部に収納される複数のセラミックボール３を温めるための層であって、断熱層２２の内側を覆うように形成されている。また発熱層２３は、面状ヒータによって形成されており、容器底面２１３に平行であり断熱底部２２１の上側に配置された第１発熱部２３１と、断熱側部２２２の内側に第１発熱部２３１の周囲から略鉛直方向に形成され容器本体の側面に平行に配置された第２発熱部２３２とを有している。
【００２５】
保護シート２４は、発熱層２３がユーザーの足や内部に挿入される複数のセラミックボール３によって傷つかないようにするため及び水分などから発熱層２３を保護するための層であって、発熱層２３の内側を覆うように配置されている。また保護シート２４は、ステンレス、硝子などによって形成されている。
【００２６】
複数のセラミックボール３は、送風装置４から送られる温風及び発熱層２３からの熱を蓄積するための部材であって、容器本体２の内部に配置されている。具体的には容器本体２の高さの半分以上であって４分の３以下程度の高さまで充填されている。またセラミックボール３は、遠赤外線セラミック又はゲルマセラミックによって形成されており、直径が約２ミリから２０ミリの球形状の部材、さらに好ましくは直径６ミリの球形状である。すなわちセラミックボール３を収納した容器本体２内に足を挿入する際に適度な力で挿入することができる。これは、複数のセラミックボール３を収納した容器本体２内に適度な空間を形成することができるためである。そして、セラミックボール３の温度が一定以上になると、セラミックボール３から遠赤外線が放射される。なお、素足で使用する場合には６ミリよりも少し直径の大きなセラミックボール３、例えば８ミリのセラミックボール３を使用するのが望ましい。これは直径が小さなセラミックボール３を使用すると素足に吸着する等によって容器本体２から外部に出る可能性がありこれを防止するためである。
【００２７】
送風装置４は、容器本体２内部に温風を送り込むための装置であって、容器本体２に取り付けられた装置である。また送風装置４は、約４０°から８０°の間の温風を送り込むことで容器本体２の内部に配置されたセラミックボール３を温めるとともに容器本体２内部の空気を攪拌する。さらに、送風装置４は、空気を温めるための電気ヒータ４１と、電気ヒータ４１によって温められた空気を送り出す送風機４２とを有している。
【００２８】
温度調整装置５は、発熱層２３の温度を調整するための装置であって、第１発熱部２３１と第２発熱部２３２との温度を別個に調整するための装置である。
【００２９】
２．動作
この足浴器１を使用する際には、まず容器本体２の内部に複数のセラミックボール３を挿入する。具体的には、容器本体２の約半分から４分の３位の間の高さ位置までセラミックボール３を入れる。容器本体２の内部に複数のセラミックボール３を挿入した後、送風装置４によって温風を容器本体２内部に送り込むとともに、発熱層２３の温度を温度調整装置５によってセラミックボール３の温度を調整する。その後、セラミックボール３を収納している容器本体２の内部にユーザーが足を挿入する。
【００３０】
ここでは、セラミックボール３によって足を温めるために、靴下などを脱ぐ必要が無く、さらに湯を容器本体２内部に溜める必要が無くなる。また、送風装置４及び発熱層２３によってセラミックボール３を温めるために効率よくセラミックボール３を温めることができる。そして、送風装置４の温風によって容器本体２内の空気を攪拌するために容器本体２内の空気の温度を均一にしやすくなる。さらに発熱層２３が第１発熱部２３１と第２発熱部２３２とに分かれており個別に温度調整可能であるために温度の調整がしやすい。セラミックボール３が足つぼを刺激するとともに赤外線を放射することで血行が良くなりさらに効率よく足を温めることができる。
【００３１】
３．他の実施形態
（ａ）上記実施形態では、蓄熱部材としてセラミックボール３を使用したが、本考案はこれに限られず、熱を蓄積できるものであれば良い。
【００３２】
（ｂ）また、上記実施形態では、容器本体２の上面が開口している立方体状の容器を用いたが、本考案はこれに限らずに、上面が足よりも少し大きな開口が形成された立方体状の容器であっても良い。この場合には、足を挿入する開口以外の部分がふさがれているためにさらに長時間保温することができる。
【００３３】
（ｃ）さらに上記実施形態では、一種類の大きさのセラミックボール３のみを用いたが、本考案はこれに限らずに、それぞれ異なる大きさのセラミックボール３を使用しても良い。
【００３４】
（ｄ）上記実施形態では、足を入れる前にセラミックボール３の温度などを調節したが、本考案はこれに限らずに、足を入れた状態で温度を調節しても良い。
【図面の簡単な説明】
【００３５】
【図１】足浴器の全体斜視図。
【図２】足浴器の全体断面図。
【図３】足浴器に足を入れた状態の全体断面図。
【符号の説明】
【００３６】
１  足浴器
２  容器本体
３  セラミックボール（蓄熱部材）
４  送風装置
２２  断熱層
２３  発熱層
２４  保護シート
２１１  挿入口
２３１  第１発熱部
２３２  第２発熱部
【図１】
0003135324.tif 000003
【図２】
0003135324.tif 000004
【図３】
0003135324.tif 000005